(57)【特許請求の範囲】
【請求項１】
プレゼンス対象を登録する登録部と、
前記登録されたプレゼンス対象のうち少なくとも１つを画面上に表示させる表示制御部と、
前記登録されたプレゼンス対象のプレゼンス情報に更新があることを示す更新情報を受信する更新情報受信部と、
前記受信した更新情報に基づいて、前記表示制御部により前記画面に表示されているプレゼンス対象について更新があるか否かを判断し、更新があると判断された、該画面に表示中のプレゼンス対象に限り、更新プレゼンス情報を取得する更新プレゼンス情報取得部と、
を備えた、ことを特徴とするプレゼンス表示端末装置。
【請求項２】
前記表示制御部は、前記登録されたプレゼンス対象のうち、ユーザにより指定されたプレゼンス対象を前記画面上に表示させる、ことを特徴とする請求項１に記載のプレゼンス表示端末装置。
【請求項３】
前記表示制御部により表示されるプレゼンス対象のプレゼンス情報は複数の項目のプレゼンス情報を含んでおり、該複数の項目のうち何れの項目を画面上に表示させるかを指定する表示項目指定部を更に備え、
前記更新プレゼンス情報取得部は表示を指定されている項目に関する更新プレゼンス情報のみを取得する、ことを特徴とする請求項１又は請求項２に記載のプレゼンス表示端末装置。
【請求項４】
前記更新プレゼンス情報取得部は、通信ネットワーク上に備えられたプレゼンス情報を管理するサーバから前記更新プレゼンス情報を取得する、ことを特徴とする請求項１から請求項３の何れか一項に記載のプレゼンス表示端末装置。
【請求項５】
前記更新情報は通信ネットワーク上に備えられたプレゼンス情報を管理するサーバから通知され、
前記更新情報受信部は前記通知された更新情報を受信する、ことを特徴とする請求項１から請求項４の何れか一項に記載のプレゼンス表示端末装置。
【請求項６】
携帯電話としての機能を有する、ことを特徴とする請求項１から請求項５の何れか一項に記載のプレゼンス表示端末装置。
【請求項７】
前記表示制御部は待ち受け画面上に前記プレゼンス対象を表示させる、ことを特徴とする請求項１から請求項６の何れか一項に記載のプレゼンス表示端末装置。
【請求項８】
通信相手のアドレス情報を保持するアドレス帳データを更に備え、
前記登録部は、前記アドレス帳データに基づいて前記プレゼンス対象の登録を行う、ことを特徴とする請求項１から請求項７の何れか一項に記載のプレゼンス表示端末装置。
【請求項９】
前記登録部は、アドレス帳画面を介して前記プレゼンス対象登録の為のユーザ操作を受け付ける、ことを特徴とする請求項８に記載のプレゼンス表示端末装置。
【請求項１０】
前記プレゼンス対象の登録情報は前記アドレス帳データの一部として記録保持される、ことを特徴とする請求項８又は請求項９に記載のプレゼンス表示端末装置。
【請求項１１】
プレゼンス情報を見る側である少なくとも一つの第一の端末装置と、
プレゼンス情報を見せる側である少なくとも一つの第二の端末装置と、
サーバと、
から構成されるプレゼンス管理システムであって、
前記サーバが、
前記第二の端末装置のプレゼンス情報を保持するプレゼンス情報保持部と、
前記第一の端末装置が前記第二の端末装置の何れをプレゼンス対象として登録しているかを示す情報である、プレゼンス対象登録情報を保持するプレゼンス対象登録情報保持部と、
前記第二の端末装置のプレゼンス情報が更新された場合に、前記保持しているプレゼンス対象登録情報に基づいて、該第二の端末装置をプレゼンス対象として登録している前記第一の端末装置にプレゼンス情報の更新を示す更新情報を送信する更新情報送信部と、
を有し、
前記第一の端末装置が、
プレゼンス対象を登録する登録部と、
前記登録されたプレゼンス対象のうち少なくとも１つを画面上に表示させる表示制御部と、
前記登録されたプレゼンス対象のプレゼンス情報に更新があることを示す更新情報を受信する更新情報受信部と、
前記受信した更新情報に基づいて、前記表示制御部により前記画面に表示されているプレゼンス対象について更新があるか否かを判断し、更新があると判断された、該画面に表示中のプレゼンス対象に限り、更新プレゼンス情報を取得する更新プレゼンス情報取得部と、
を有する、
ことを特徴とするプレゼンス管理システム。
【請求項１２】
前記表示制御部は、前記登録されたプレゼンス対象のうち、ユーザにより指定されたプレゼンス対象を前記画面上に表示させる、ことを特徴とする請求項１１に記載のプレゼンス管理システム。
【請求項１３】
前記表示制御部により表示されるプレゼンス対象のプレゼンス情報には、複数の項目のプレゼンス情報が含まれており、この複数の項目のうち何れの項目を画面上に表示させるかを指定する表示項目指定部を更に備え、前記更新プレゼンス情報取得部は、表示を指定されている項目に関する更新プレゼンス情報のみを取得する、ことを特徴とする請求項１１又は請求項１２に記載のプレゼンス管理システム。
【請求項１４】
前記第一の端末装置の前記更新プレゼンス情報取得部は、前記サーバから前記更新プレゼンス情報を取得する、ことを特徴とする請求項１１から請求項１３の何れか一項に記載のプレゼンス管理システム。
【請求項１５】
前記サーバは、前記更新情報送信部により前記更新情報を通知し、
前記第一の端末装置においては、前記更新情報受信部が、前記通知された更新情報を受信する、ことを特徴とする請求項１１から請求項１４の何れか一項に記載のプレゼンス管理システム。
【請求項１６】
前記第一の端末装置および前記第二の端末装置の少なくとも一方は携帯電話としての機能を有する、ことを特徴とする請求項１１から請求項１５の何れか一項に記載のプレゼンス管理システム。
【請求項１７】
前記表示制御部は待ち受け画面上に前記プレゼンス対象を表示させる、ことを特徴とする請求項１１から請求項１６の何れか一項に記載のプレゼンス管理システム。
【請求項１８】
通信相手のアドレス情報を保持するアドレス帳データを更に備え、
前記登録部は、前記アドレス帳データに基づいて前記プレゼンス対象の登録を行う、ことを特徴とする請求項１１から請求項１７の何れか一項に記載のプレゼンス管理システム。
【請求項１９】
前記登録部は、アドレス帳画面を介して前記プレゼンス対象登録の為のユーザ操作を受け付ける、ことを特徴とする請求項１８に記載のプレゼンス管理システム。
【請求項２０】
前記プレゼンス対象登録情報保持部は、前記アドレス帳データを保持するアドレス帳である、ことを特徴とする請求項１８又は請求項１９に記載のプレゼンス管理システム。
【請求項２１】
端末装置において実行されるプレゼンス管理方法であって、
所定の記憶媒体にプレゼンス対象を登録する登録ステップと、
前記登録されたプレゼンス対象のうち少なくとも１つを画面上に表示させる表示ステップと、
前記登録されたプレゼンス対象のプレゼンス情報に更新があることを示す更新情報を受信する更新情報受信ステップと、
前記受信した更新情報に基づいて、前記画面に表示されているプレゼンス対象について更新があるか否かを判断し、更新があると判断された、該画面に表示中のプレゼンス対象に限り、更新プレゼンス情報を取得する更新プレゼンス情報取得ステップと、
を含む、プレゼンス管理方法。
【請求項２２】
前記表示ステップにて表示されるプレゼンス対象のプレゼンス情報が複数の項目のプレゼンス情報を含む場合、該複数の項目のうち何れの項目を画面上に表示させるかを指定する表示項目指定ステップを更に含み、
前記更新プレゼンス情報取得ステップにて、前記表示項目指定ステップで表示を指定されている項目に関する更新プレゼンス情報のみを取得する、請求項２１に記載のプレゼンス管理方法。
【請求項２３】
請求項２１又は請求項２２に記載のプレゼンス管理方法を端末装置に実行させるためのプレゼンス管理プログラム。
【発明の詳細な説明】
【技術分野】
【０００１】
本発明は、プレゼンス機能を備えたプレゼンス表示端末装置、およびプレゼンス管理システムに関するものである。
【背景技術】
【０００２】
ブロードバンドサービスの展開に伴い、様々なコミュニケーションサービスが提供されるようになってきている。例えば、インターネット電話や、インスタントメッセージ（ＩＭ）サービス等がある。【０００３】
例えば、インターネット電話同士の通話では、通話相手もネットワーク上にいないと電話を接続することができないため、相手のログイン状態を知ることが重要となる。その方法として、プレゼンスがある。プレゼンスとは、相手の状態を知る機能である。プレゼンスを実現するための代表的な技術として、ＳＩＰ等が挙げられる。ＳＩＰ（Session Initiation Protocol）とは、ＶｏＩＰ（Voice over Internet Protocol）を応用したインターネット電話などで用いられる、通話制御プロトコルの一つである。【０００４】
近年、携帯電話機にもプレゼンス機能が搭載され始めてきている。携帯電話機にプレゼンス機能を搭載することで、相手の現在の状況が、通話中であるのか、外出中や会議中であるのかなどを事前に確認することができる。したがって、ユーザは、相手の状況を確認したうえで、音声通話、インスタントメッセージ、メールなど最適な方法で相手に連絡を取ることができる。【０００５】
従来のプレゼンス管理システムでは、例えば、端末Ａは、端末Ｂやその他の端末のプレゼンス情報を見ようと開示依頼を行い（言い換えれば、端末Ａのリストにプレゼンス対象として登録する）、見せる側の端末のプレゼンス情報が更新された場合に、プレゼンスサーバＣからプレゼンス情報の更新にかかる情報がＰＵＳＨ配信されていた。【０００６】
プレゼンス管理システムにおいては、例えば端末Ａが複数の見せる側（プレゼンス対象）の端末のプレゼンス情報を見る場合が生ずる。特開２００５−１３５２５０号（日本国特許公開公報）には、複数のプレゼンス対象のプレゼンス情報を表示する領域を可変とする端末装置が記載されている。特開２００５−１３５２５０号には、プレゼンス情報の表示／非表示の設定（フラグ）をユーザによって行えること、表示するプレゼンス情報の数に応じて表示領域を拡大／縮小すること（或いはスクロールの有無の切り替え）、オンラインのプレゼンス対象のみを表示させるように設定可能であることが開示されている。
【発明の開示】
【０００７】
今後、携帯端末装置において、プレゼンス対象を登録することが考えられる。その場合、それらのプレゼンス対象のプレゼンス情報を全て更新させるような事態も容易に想定される。プレゼンスサーバが、そのように登録されたプレゼンス対象全てのプレゼンス情報の更新情報をＰＵＳＨ配信し、携帯端末装置側がその全ての更新情報を受信することとなると、プレゼンス管理システムによって大量のトラフィックが発生し、通信環境を圧迫しかねない。
【０００８】
そこで本発明は、上述の問題点に鑑み、プレゼンスの更新のために送受信されるデータ量を削減することができるプレゼンス表示端末装置およびプレゼンス管理システムを提供することを目的とする。
上記目的を達成するために、本発明の１つの例示的な実施形態により、プレゼンス対象を登録する登録部と、登録されたプレゼンス対象のプレゼンス情報に更新があることを示す更新情報を受信する更新情報受信部と、登録されたプレゼンス対象のうち、所定のプレゼンス対象を画面上に表示させる表示制御部と、表示制御部により表示されるプレゼンス対象について更新があるか否かを更新情報に基づいて判断し、更新があると判断されたプレゼンス対象の更新プレゼンス情報を取得する更新プレゼンス情報取得部と、を備えたプレゼンス表示端末装置を提供する。
【０００９】
また、本発明の１つの例示的な実施形態により、プレゼンス情報を見る側である少なくとも一つの第一の端末装置と、プレゼンス情報を見せる側である少なくとも一つの第二の端末装置と、サーバと、から構成されるプレゼンス管理システムであって、サーバが、第二の端末装置のプレゼンス情報を保持するプレゼンス情報保持部と、第一の端末装置がどの第二の端末装置をプレゼンス対象として登録しているかを示す情報であるプレゼンス対象登録情報を保持するプレゼンス対象登録情報保持部と、第二の端末装置のプレゼンス情報が更新された場合に、保持しているプレゼンス対象登録情報に基づいて、第二の端末装置をプレゼンス対象として登録している第一の端末装置にプレゼンス情報の更新を示す更新情報を送信する更新情報送信部と、を有し、第一の端末装置が、プレゼンス対象を登録する登録部と、登録されたプレゼンス対象のプレゼンス情報に更新があることを示す更新情報を受信する更新情報受信部と、登録されたプレゼンス対象のうち、所定のプレゼンス対象を画面上に表示させる表示制御部と、表示制御部により表示されるプレゼンス対象について更新があるか否かを更新情報に基づいて判断し、更新があると判断されたプレゼンス対象の更新プレゼンス情報を取得する更新プレゼンス情報取得部と、を有するプレゼンス管理システムを提供する。
【００１０】
したがって、本発明の実施形態によれば、画面上に表示されるプレゼンス情報は、ユーザが更新を望んでいると考えられるので、ユーザが更新を望むプレゼンス情報のみを選択的に更新させることで、プレゼンスの更新にかかる送受信のデータ量を削減することができる。
【００１１】
以下、図面を参照して、本発明の例示的な実施形態によるプレゼンス表示端末装置およびプレゼンス管理システムについて説明する。
【図面の簡単な説明】
【００１２】
【図１】本発明の実施形態における、端末とプレゼンスサーバとにより構成されるプレゼンス管理システムの例を説明するための図である。
【図２】本発明の実施形態における端末装置の外観を示す図である。
【図３】本発明の実施形態における端末装置のハードウェア構成を示す図である。
【図４】本発明の実施形態における端末装置のソフトウエア構成を示す図である。
【図５】アドレス帳に登録されているユーザをプレゼンス対象として登録する処理を示すフローチャートである。
【図６】アドレス詳細画面を示す図である。
【図７】アドレス帳メニュー画面を示す図である。
【図８】プレゼンス登録の確認画面を示す図である。
【図９】プレゼンス相互開示の要求についての確認画面を示す図である。
【図１０】プレゼンス相互開示の応諾についての確認画面を示す図である。
【図１１】マイ・プレゼンス編集画面への画面遷移を示す図である。
【図１２】プレゼンスを変更する際の画面遷移を示す図である。
【図１３】画面上に表示されたプレゼンスユーザのプレゼンス情報を更新する処理を示すフローチャートである。
【図１４】待ち受け画面を示す図である。
【図１５】他の端末装置におけるプレゼンス情報の更新を示す図である。
【図１６】待ち受け画面を示す図である。
【図１７】アドレス帳画面に表示されたプレゼンスユーザのプレゼンス情報を更新する処理を示すフローチャート（Ａ）である。
【図１８】アドレス帳画面を示す図である。
【図１９】アドレス詳細画面を示す図である。
【図２０】アドレス帳画面を示す図である。
【図２１】アドレス詳細画面を示す図である。
【図２２】アドレス帳画面を示す図である。
【図２３】アドレス詳細画面を示す図である。
【図２４】待ち受け画面を示す図である。
【図２５】アドレス帳メニュー画面を示す図である。
【図２６】待ち受け画面の他の実施形態を示す図である。
【図２７】待ち受け画面の他の実施形態を示す図である。
【符号の説明】
【００１３】
１０  端末装置
１０５  アンテナ
１１１  液晶ディスプレイ
１１４  ダイヤルボタン
１１５  方向指示キー
１１８  マイク
１１９  スピーカ
１２１  オンフックボタン
１２２  オフフックボタン
２０１  ＰＩＭアプリケーション
２０２  アドレス帳機能
２０２ａ  アドレス帳データベース
２０３  インスタントメッセージ（ＩＭ）機能
２０４  プレゼンス管理機能
２０４a  リスト登録部
２０４b  更新通知情報管理部
２０４c  更新プレゼンス情報取得部
２０５  スケジューラ
２０６  プレゼンス情報データベース
【発明を実施するための最良の形態】
【００１４】
図１は、プレゼンスサーバと端末とにより構成されるプレゼンス管理システムを説明するための図である。図１に示すプレゼンス管理システムでは、端末Ａは相手の状態を見る側であり、端末Ｂは自分の状態を見せる側である。サーバＣはプレゼンスサーバである。プレゼンスサーバＣは、各端末から提供されたプレゼンス情報を保持・管理して、プレゼンス情報を要求する端末に送信する機能を有する。図１に示す例では、プレゼンスサーバＣは予め端末Ｂのプレゼンス情報を有しているものとする。以下、本システムの処理手順の例を説明する。まず、（１）端末ＡがプレゼンスサーバＣに対して端末Ｂのプレゼンス情報の開示依頼を行う。その後、（２）プレゼンスサーバＣは、端末Ｂのプレゼンス情報を端末Ａへ提供する。すると端末Ａは端末Ｂのプレゼンス情報を取得することにより、端末Ａの画面上に端末Ｂのプレゼンス情報を表示させることができるようになる。一方、端末Ｂのプレゼンス情報を変更する処理が行われると、（３）端末ＢはプレゼンスサーバＣへプレゼンス情報を更新するよう指示を出す。その後、プレゼンスサーバＣでは、端末Ｂに関するプレゼンス情報が更新され、（４）端末Ａに対して更新された端末Ｂに関するプレゼンス情報が提供される。以上が、プレゼンスサーバと各端末とのシステム構成である。なお、図１に示すプレゼンス管理システムでは端末が２つのみ示されているが、例えば、端末Ｂに対応する端末（すなわち、見せる側の端末）を複数備えて、端末Ａにおいて、複数の端末のプレゼンス情報を見ることができるようにすることも可能である。【００１５】
図２は本発明の実施形態によるプレゼンス表示端末装置としての端末装置１０の外観図を示し、図３は端末装置１０のハードウェア構成を表すブロック図である。図２に示すように、端末装置１０の筐体の操作面側には、液晶ディスプレイ１１１と、操作部とが設けられている。操作部には、ダイヤルボタン１１４、方向指示キー１１５、オンフックボタン１２１、オフフックボタン１２２が含まれる。また、操作面側上部には、スピーカ１１９用の孔と、アンテナ１０５とが設けられ、下部にはマイク１１８用の孔が設けられている。本実施形態では端末装置として携帯電話機を例に挙げているが、本発明は、携帯電話機以外にも例えばＰＣ、ＰＤＡ、各種アプリケーションを備えたＴＶ等、様々な端末装置上で実施することができる。【００１６】
図３のブロック図について説明する。端末装置１０は、装置全体を制御するＣＰＵ１００を有する。ＲＯＭ１０１、ＲＡＭ１０２、フラッシュメモリ１０３、無線通信制御部１０４、液晶ディスプレイ１１１、入力インタフェース部１１３、および音声制御部１１７はそれぞれＣＰＵ１００に接続されている。更に、無線通信制御部１０４にはアンテナ１０５が接続され、入力インタフェース部１１３には操作部の各種キーが接続され、音声制御部１１７にはマイク１１８およびスピーカ１１９が接続されている。なお、入力インタフェース部１１３に接続される操作部は、表示画面上に表示されるポインタを移動させるための機器や、液晶ディスプレイ１１１を利用したタッチパネル等を含めることができる。【００１７】
ＲＯＭ１０１は、ＣＰＵ１００により実行される各種プログラムおよび固定的なデータを格納した不揮発性の読み出し専用メモリである。ＲＡＭ１０２は、ＣＰＵ１００の作業領域およびデータの一時記憶領域を提供する書き込み可能なメモリである。フラッシュメモリ１０３は、追加的なアプリケーションや各種データを記憶する再書き込み可能な不揮発性メモリである。【００１８】
無線通信制御部１０４は、アンテナ１０５を介して基地局との間で音声およびデータの無線通信（送受信）を行う機能を有する。端末装置１０は基地局を介してプレゼンスサーバに対してデータの送受信を行うことができる。液晶ディスプレイ１１１は表示画面を有する表示部を構成する。入力インタフェース部１１３は、操作部の各種キーによる入力操作を受け付ける機能を有する。音声制御部１１７は、マイク１１８およびスピーカ１１９を介して音声の入出力を制御する。【００１９】
図４は、端末装置１０が備えるアプリケーションおよび各種機能の構成を示すブロック図である。端末装置１０は、ＰＩＭ（Personal Information Manager）アプリケーション２０１を有する。ＰＩＭアプリケーション２０１には、アドレス帳機能２０２（アドレス帳データを記憶するアドレス帳データベース２０２ａを有する）、インスタントメッセージ（ＩＭ）機能２０３、プレゼンス管理機能２０４、スケジューラ２０５等が含まれている。また、端末装置１０は、プレゼンス情報データベース２０６を有する。【００２０】
プレゼンス管理機能２０４は、リスト登録部２０４aと、更新通知情報管理部２０４bと、更新プレゼンス情報取得部２０４ｃとを含む。【００２１】
リスト登録部２０４aは、プレゼンス対象としてのプレゼンスユーザをリストに登録する機能を有する。すなわち、端末装置１０は、プレゼンス管理システム上のプレゼンス情報を見せる側の端末装置から任意の端末装置を選択し、プレゼンス対象（プレゼンスユーザ）として登録することができる。例えば、アドレス帳機能２０２により管理されているユーザの中からプレゼンスユーザを登録することができる。【００２２】
以下、アドレス帳２０２に登録されているユーザの中からプレゼンスユーザを登録する際の手順について、図５のフローチャートに基づいて説明する。なお、ここでは、松田さんの端末装置１０のアドレス帳２０２に登録されている足利さんをプレゼンスユーザとして登録する場合について説明する。また、以下に参照する図面の画面表示は、本発明の実施形態の一例であり、本発明はそれらの表示形態に限定されるものではない。【００２３】
図１８は、ステップＳ１０１において、所定の操作によりアドレス帳２０２を開いたときに表示されるアドレス帳画面である。アドレス帳画面は、アドレス帳に登録されているユーザのリスト表示である。アドレス帳画面では、通常、ユーザは所定の方法（例えばイニシャルのアルファベット）で分類され、カテゴリー毎に表示される。図１８には、苗字のイニシャルが母音（Ａ、Ｉ、Ｕ、Ｅ、Ｏ）であるユーザがリスト表示されている。【００２４】
図１８のアドレス帳画面から足利さんを選択すると（ステップＳ１０２）、図６のアドレス詳細画面が表示される（ステップＳ１０３）。この実施形態では、アドレス詳細画面がプレゼンス情報も表示できるように構成されている。しかし、足利さんはプレゼンスユーザとしては未だ登録されていないため、図６ではプレゼンス情報の代わりに「プレゼンス未登録」と表示されている。【００２５】
次にアドレス詳細画面右下の「メニュー」を選択すると、図７のアドレス帳メニュー画面が表示される。メニュー画面から「プレゼンス登録」を選択すると、プレゼンスの相互開示を足利さんに申し込むかどうかを確認するための図８の確認画面が表示される。確認画面で「ＹＥＳ」を選択すると、足利さんの端末装置１０へプレゼンス相互開示の要求が送信される（ステップＳ１０４）。要求を受けた足利さんの端末装置１０は、その要求を許可するかどうかを決定するための図９の画面を表示する。【００２６】
要求が許可されると（ステップＳ１０５：ＹＥＳ）、次にプレゼンスユーザ登録に必要な情報がアドレス帳データベースに含まれているか否かが確認される（ステップＳ１０６）。プレゼンスユーザ登録に必要な情報は、例えば、ユーザ名、電話番号、メールアドレスなどであり、これらの情報はアドレス帳データベースに既に登録されていることが多い。その場合には（ステップＳ１０６：ＹＥＳ）、ステップＳ１０７に進み、プレゼンスユーザ登録に必要な情報はアドレス帳データベースから取得される。アドレス帳データベースに必要な情報が含まれていない場合には（ステップＳ１０６：ＮＯ）、ステップＳ１０８に進み、通信により相手方（すなわち、足利さん）の端末１０から必要な情報が取得される。ステップＳ１０７又はＳ１０８にて登録に必要な情報が取得されると、次に取得した情報をプレゼンス情報データベースが保持するリストに記録することによってプレゼンスユーザ登録が行われ（ステップＳ１０９）、次いで登録完了を知らせる図１０の画面が表示される。【００２７】
以上の様な処理によって、アドレス帳に登録されているユーザをプレゼンスユーザに登録することができる。なお、図１９は足利さんがプレゼンスユーザのリストに登録された後のアドレス詳細画面である。登録前の図６の画面とは異なり、プレゼン情報が表示されている。【００２８】
なお、プレゼンス対象のリストは、プレゼンス情報データベース２０６に備えられていてもよいし、端末装置１０内の他の場所に備えられていてもよい。【００２９】
更新通知情報管理部２０４ｂは、端末装置１０がプレゼンスサーバより通知され、受信した更新情報（図１の従来例参照。プレゼンスサーバＣにより通知されるプレゼンス情報の更新にかかる情報）を管理する機能を有する。【００３０】
更新プレゼンス情報取得部２０４ｃは、受信した更新情報に基づいて更新プレゼンス情報を取得すべきかどうかを判断して、更新プレゼンス情報を取得する機能を有する。本発明の実施形態によれば、更新情報に含まれるプレゼンスユーザが、端末装置１０の表示画面上に表示されているプレゼンスユーザであれば、或いは更新情報に含まれるプレゼンスユーザのプレゼンス情報が、端末装置１０の表示画面上に表示されているプレゼンス情報であれば、その更新プレゼンス情報を取得する。【００３１】
また、プレゼンス管理機能２０４は、例えば、待ち受け画面にプレゼンス情報を表示させることができる。また、プレゼンス管理機能２０４は、後述するようなプレゼンス編集用画面等を画面上に表示させることができる。【００３２】
アドレス帳機能２０２は、例えば前述の様にアドレス詳細表示により選択されたプレゼンスユーザのプレゼンス情報を表示させることができる。また、アドレス帳機能２０２を用いて、端末装置１０のプレゼンス情報を設定・更新することができる構成としてもよい。【００３３】
スケジューラ２０５は、端末装置１０のユーザのスケジュール情報を管理する機能を有するが、スケジュールの設定と共にプレゼンスを設定することができる構成としてもよい。【００３４】
プレゼンス情報データベース２０６は、端末装置１０のプレゼンス情報とともに、各プレゼンスユーザのプレゼンス情報を保持している。プレゼンスサーバから更新プレゼンス情報を取得するとプレゼンス情報データベース２０６の該当するプレゼンス情報が書き換えられる。【００３５】
以下、ユーザが、端末装置１０において自己のプレゼンス情報を設定する際の手順について説明する。【００３６】
図１１及び図１２は、ユーザが自己のプレゼンス情報をプレゼンス編集用画面にて変更する場合の画面遷移図である。なお、図１１及び図１２に示される図は、本発明の実施形態の一例であり、本発明はそれらの表示形態に限定されるものではない。【００３７】
図１１（ａ）は、複数のプレゼンスユーザのプレゼンス情報を表示している画面である。例えば、待ち受け画面上に複数のプレゼンスユーザのプレゼンス情報が表示される。この画面では、最上段が自己のプレゼンス情報（マイ・プレゼンス）を表示しているマイ・プレゼンス表示領域３０１である。例えば、マイ・プレゼンス表示領域３０１にフォーカスを当てて選択操作が行われると、マイ・プレゼンス設定画面へと移行する。【００３８】
図１１（ｂ）は、マイ・プレゼンス設定画面の一例である。マイ・プレゼンス設定画面には、例えば、メインステータスである「状態」、「コメント」を表示するメインステータス表示領域３０２と、サブステータスである「Voice Call」、「Video Call」、「PTT」、「Mail」、「Chat」を表示するサブステータス表示領域３０３とが表示されている。なお、この例では、「状態」は「仕事中」、「コメント」は「仕事中（+_+）」、「Voice Call」は「緊急時可」、「Video Call」は「不可」、「PTT」は「不可」、「Mail」は「返信可」、「Chat」は「可」にそれぞれ設定されている。また、待ち受け画面表示ＯＮ／ＯＦＦの設定や、プライバシーレベルの設定（例えば、リストに登録されているプレゼンスユーザに対し親密度によるレベル分けをし、これらのプレゼンスユーザのうちどのプレゼンスユーザに自分の情報を開示するか等を設定可能）を行うこともできる。【００３９】
図１１（ｂ）において、例えば、「状態」、「コメント」のメインステータス表示領域３０２にフォーカスを当てて選択操作を行うと、プレゼンス編集画面（図１２）へと移行する。【００４０】
図１２は、プレゼンス編集画面の一例である。例えば、「状態（仕事中）」を変更したい場合、その領域にフォーカスを当てる（図１２（ａ））選択操作を行う。すると、図１２（ｂ）に示すように、「状態」の選択肢が表示される。「状態」の選択肢としては、例えば、「仕事中」、「食事中」、「移動中」、「休憩中」、「遊び中」、「飲み中」、「取り込み中」、「一時退席中」、「端末使用中」、「就寝中」、「授業中」、「未記入」、「新規登録」等の項目がある。【００４１】
図１２（ｂ）において、例えば、「移動中」を選択してＯＫボタンを選択すると、図１２（ｃ）の画面へ移行する。図１２（ｃ）に示すプレゼンス編集画面では、「状態」が「仕事中」から「移動中」に変更されたことにより、コメントが「仕事中（+_+）」から「乗車中、通話できません」へ、「Voice Call」が「緊急時可」から「不可」へ、それぞれ変更されている。すなわち、本発明の一つの実施形態によれば、メインステータスの状態（「仕事中」、「移動中」等）ごとに、サブステータスの組み合わせが予め決められている。すなわち、例えば、
メインステータス「仕事中」に対するサブステータスの組み合わせは、
Voice Call：緊急時可
Video Call：不可
PTT：不可
Mail：返信可
Chat：可
であり、
メインステータス「移動中」に対するサブステータスの組み合わせは、
Voice Call：不可
Video Call：不可
PTT：不可
Mail：返信可
Chat：可
である。この場合、サブステータスの個々のプレゼンス情報をいちいち設定しなくてよいため、ユーザフレンドリーなプレゼンス設定が可能となる。当然、個々のプレゼンス情報を設定可能であってもよい。プレゼンス編集後、例えば、表示画面右下のＯＫを選択すれば、プレゼンスサーバへ端末装置１０のプレゼンス情報を更新するよう指示が送られる。【００４２】
図１１及び図１２では、マイ・プレゼンスの設定画面からプレゼンスの編集を行ったが、例えば、ＰＩＭアプリケーション２０１のスケジューラ２０５を利用して、プレゼンスを設定することも可能である。【００４３】
図１３は、端末装置１０において、リストに登録されているプレゼンスユーザのプレゼンス情報を更新する際の処理を示すフローチャートである。なお、プレゼンスサーバと端末装置１０とによって構成されるプレゼンス管理システムは、図１に記載のプレゼンス管理システムに相当する。なお、以下、説明する端末装置１０は、図１のプレゼンス管理システムの端末Ａ（見る側）に該当する。【００４４】
ステップＳ２０１では、液晶ディスプレイ１１１に待ち受け画面を表示する。なお、本実施形態では、待ち受け画面に、指定されたプレゼンスユーザのプレゼンス情報が表示されている。すなわち、端末装置１０のユーザは、リストに登録されたプレゼンスユーザのうちから幾人かのプレゼンスユーザを指定してそのプレゼンス情報を画面上に表示させることができる。また、指定されたプレゼンスユーザのプレゼンス情報のうちのどのプレゼンス情報を表示させるかを指定することも可能である。ステップＳ２０２では、端末装置１０は、プレゼンスサーバＣにより送信された、リストに登録されたプレゼンスユーザのプレゼンス情報が更新されたことを知らせる更新情報を受信する。更新情報には、端末装置１０に登録されているプレゼンスユーザのうちの少なくとも一人のプレゼンスユーザのプレゼンス情報が変更されたことを通知する情報が含まれている。なお、更新情報はプレゼンス情報を更新するための情報、例えばどのようなプレゼンスに変更になったか等の情報までは含んでいない。【００４５】
ステップＳ２０３では、受信した更新情報に含まれている情報から、待ち受け画面に表示されているプレゼンスユーザのプレゼンス情報の更新があるかどうかを判定する。待ち受け画面に表示されているプレゼンスユーザのプレゼンス情報の更新があると判定されれば（ステップＳ２０３：ＹＥＳ）、ステップＳ２０４へ進む。待ち受け画面に表示されているプレゼンスユーザのプレゼンス情報の更新がなければ（ステップＳ２０３：ＮＯ）、ステップＳ２０５へ進む。なお、ステップＳ２０３の処理は、更新通知情報管理部２０４ｂにおいて行われる。【００４６】
ステップＳ２０４では、待ち受け画面に表示されているプレゼンスユーザのプレゼンス情報に関する更新プレゼンス情報をプレゼンスサーバＣから受信する。次いで、受信した更新プレゼンス情報に基づき、プレゼンス情報データベース２０６内のそのプレゼンスユーザのプレゼンス情報を更新する。なお、ステップＳ２０４の処理は、更新プレゼンス情報取得部２０４ｃにおいて行われる。プレゼンス情報が更新されると待ち受け画面に表示されているプレゼンス情報もその表示が変更される。その後、ステップＳ２０５へ進む。なお、ステップＳ２０４において、プレゼンス情報をプレゼンスサーバＣから受信する際に、画面上に表示されているプレゼンス情報にかかる更新プレゼンス情報のみを受信する構成であってもよい。つまり、そのプレゼンスユーザのプレゼンス情報が更新されていたとしても、画面上に表示されていないプレゼンス情報に関してはその更新プレゼンス情報の受信を制限することができる。この構成により、プレゼンス情報の更新にかかるデータ通信量を削減することができる。【００４７】
ステップＳ２０５では、待ち受け画面に表示されているプレゼンスユーザ以外のプレゼンスユーザのプレゼンス情報の更新があるかどうかを判定する。更新すべきプレゼンスユーザがあれば（ステップＳ２０５：ＹＥＳ）、ステップＳ２０６へ進む。更新すべきプレゼンスユーザがなければ（ステップＳ２０５：ＮＯ）、ステップＳ２０７へ進む。【００４８】
ステップＳ２０６では、待ち受け画面に表示されているプレゼンスユーザ以外のプレゼンスユーザのプレゼンス情報の更新が未だ行われていないということを示す表示を待ち受け画面上に表示する。その後、ステップＳ２０７へ進む。【００４９】
ステップＳ２０７では、アドレス帳表示の指示があるかどうかが判定される。アドレス帳表示の指示があれば（ステップＳ２０７：ＹＥＳ）、後述するフローチャートＡへ進む。アドレス帳表示の指示がなければ、本処理は終了する。すなわち、本処理では、更新情報の受信により、通知のなされたプレゼンスユーザにおいて、未だ更新がなされていないプレゼンスユーザがあっても、表示されていないプレゼンスユーザについては更新されない。【００５０】
以下、図１３に示すステップＳ２０１からステップＳ２０６までの処理を、画面遷移図を用いて具体的に説明する。なお、以下の図１４から図１６は、本発明の実施形態の一例であり、本発明はそれらの表示形態に限定されるものではない。【００５１】
図１４は、ステップＳ２０１の処理により表示される待ち受け画面を示す図である。待ち受け画面上に表示されているプレゼンスユーザは、足利Ｔ、柴田Ｋ、毛利Ｍ、織田Ｎの４人である。それぞれのプレゼンス情報としては、足利さんが「居酒屋にいます」、柴田さんが「飲んでいます」、毛利さんが「出先で一服〜」、織田さんが「大忙しデース」という各ユーザのメインステータスが表示されている。【００５２】
一方、端末装置１０に登録されているプレゼンスユーザである、足利Ｔ、加藤Ｋ、斉藤Ｄのプレゼンス情報がそれぞれの端末装置において更新されたとする。例えば、図１５に示すように、足利さんのメインステータスが「移動中：通話は不可です」に変更され（図１５（ａ））、加藤さんのメインステータスが「飲み中：誰か来ませんか」に変更され（図１５（ｂ））、斉藤さんのメインステータスが「就寝中：連絡は後日」に変更された（図１５（ｃ））とする。プレゼンスサーバＣでは、それらのプレゼンスユーザのプレゼンス情報が更新される。その後、プレゼンスサーバＣは、足利さん、加藤さん、斉藤さんのプレゼンス情報が変更されたことのみを示す更新情報を端末装置１０に送信する。送信された更新情報は、端末装置１０により受信される（ステップＳ２０２）。【００５３】
図１６は、ステップＳ２０４による更新、ステップＳ２０６による表示処理が行われた後の待ち受け画面を示す図である。足利さんのプレゼンス情報が「居酒屋にいます」から「通話は不可です」に変更されている。また、画面の上部に、待ち受け画面に表示されているプレゼンスユーザ以外のプレゼンスユーザのプレゼンス情報の更新が未だ行われていないということを示す「未」のマークが表示されている。【００５４】
次に、アドレス帳機能により表示されたプレゼンス情報を更新する機能について、図１７に示すフローチャートＡを用いて説明する。【００５５】
ステップＳ３０１では、液晶ディスプレイ１１１にアドレス帳画面が表示される。アドレス帳の表示形態としては、例えば、（Ａ）アルファベット順、（Ｂ）グループ順、（Ｃ）臨時グループ順、等の様々なソートによる表示が想定される。それらのソートに基づいて、表示画面上にユーザ名が表示される。【００５６】
ステップＳ３０２では、表示画面上に、更新情報に含まれているプレゼンスユーザのユーザ名（ステップＳ２０４において更新されたプレゼンスユーザのユーザ名を除く）が表示されているかどうかを判定する。更新情報に含まれているプレゼンスユーザのユーザ名が表示されていれば（ステップＳ３０２：ＹＥＳ）、ステップＳ３０３へ進む。更新情報に含まれているプレゼンスユーザのユーザ名が表示されていなければ（ステップＳ３０２：ＮＯ）、ステップＳ３０４へ進む。なお、ステップＳ３０２による処理は、アドレス帳機能２０２により判定されるアドレス帳画面上に表示されているユーザ名に基づいて、更新通知情報管理部２０４ｃが判定するものである。【００５７】
ステップＳ３０３では、ステップＳ３０２においてアドレス帳画面上に表示されていると判定された更新情報に含まれているプレゼンスユーザのプレゼンス情報がプレゼンスサーバＣから受信されることによりプレゼンス情報が更新される。その後、ステップＳ３０４へ進む。なお、ステップＳ３０３における処理は、更新プレゼンス情報取得部２０４ｃにより行われる。【００５８】
ステップＳ３０４では、表示画面の切り替えがあったかどうかが判定される。表示画面の切り替えには、例えばユーザによる明示的な表示画面切替指示（例えば、イニシャルがＫのユーザのリスト表示からイニシャルがＳのユーザのリスト表示への表示切替の操作）や、更新処理の終了指示などが含まれる。また、必要に応じて端末装置が自動的に表示画面を切り替える場合も含まれる。このような表示画面の切り替えがあると（ステップＳ３０４：ＹＥＳ）、ステップＳ３０２へ戻り、切り替え後の画面に表示されるユーザに対して同様の処理が続けて行われる。切り替えがなければ（ステップＳ３０４：ＮＯ）、ステップＳ３０５へ進む。【００５９】
ステップＳ３０５では、待ち受け画面へ戻る操作が行われたかどうかを判定する。すなわち、ユーザは、アドレス帳機能２０２において種々の操作を行うことができるが、端末装置１０は、アドレス帳機能２０２を終了して（或いは起動させたままでもよいが）、待ち受け画面へ戻る指示が出されたかどうかを判定する。待ち受け画面へ戻る場合は（ステップＳ３０５：ＹＥＳ）、ステップＳ３０６へ進む。待ち受け画面へ戻る操作が行われない場合は（ステップＳ３０５：ＮＯ）、ステップＳ３０４へ戻る。【００６０】
ステップＳ３０６では、待ち受け画面が表示される。次いで、ステップＳ３０７では、未更新のプレセンスユーザがあるかどうかが判定される。未更新のプレゼンスユーザがあれば（ステップＳ３０７：ＹＥＳ）、そのまま処理を終了する。未更新のプレゼンスユーザがなければ、すなわち、更新情報に含まれているプレゼンスユーザのプレゼンス情報が全て更新されていれば（ステップＳ３０７：ＮＯ）、ステップＳ３０８へ進み、プレゼンスユーザの更新が未だ行われていないということを示す表示を解除する。その後、プレゼンス情報の更新にかかる本処理は終了する。【００６１】
以下、図１７に示すステップＳ３０１からステップＳ３０７までの処理を、画面遷移図を用いて具体的に説明する。なお、以下の図１８から図２７は、本発明の実施形態の一例であり、本発明はそれらの表示形態に限定されるものではない。【００６２】
図１８は、ステップＳ３０１の処理により表示されるアドレス帳画面である。アドレス帳画面には、イニシャルが母音（Ａ、Ｉ、Ｕ、Ｅ、Ｏ）のユーザ名が表示されている。表示されているユーザの中で、足利Ｔは、更新情報に含まれているプレゼンスユーザである。しかし、足利さんのプレゼンス情報は、図１３のステップＳ２０４において既に更新済みである。したがって、図１７のステップＳ３０２において判定されるプレゼンスユーザには該当しない。【００６３】
図１９は、図１８において足利Ｔを選択した場合に表示されるアドレス詳細画面である。なお、本発明の実施形態ではアドレス詳細画面にプレゼンス情報も表示される。足利さんの場合は、図１７のステップＳ２０４において更新されたプレゼンス情報が表示されている。すなわち、足利さんのメインステータスが「移動中：通話は不可です」に更新されている。【００６４】
次に、図２０は、イニシャルがＫのユーザ名が表示されているアドレス帳画面である。表示されているユーザ名のうち、図１７のステップＳ３０２において判定されるプレゼンスユーザに該当するのは、加藤さんである。したがってこの時点で、図１７のステップＳ３０３の処理により加藤さんのプレゼンス情報が更新される。【００６５】
図２１は、図２０において加藤Ｋを選択した場合に表示されるアドレス詳細画面である。加藤さんのメインステータスが「飲み中：誰か来ませんか？」に更新されている。【００６６】
次に、図２２は、イニシャルがＳのユーザ名が表示されているアドレス帳画面である。表示されているユーザ名のうち、図１７のステップＳ３０２において判定されるプレゼンスユーザに該当するのは、斉藤さんである。したがってこの時点で、図１７のステップＳ３０３の処理により斉藤さんのプレゼンス情報が更新される。図２２において斉藤Ｄが選択されると図２３のようなアドレス詳細画面が表示される（斉藤さんのメインステータスが「連絡は後日」に更新されている）。ユーザにより待ち受け画面へ戻る操作が行われると（ステップＳ３０５：ＹＥＳ）、図２４のような待ち受け画面が表示されることとなる（ステップＳ３０６）。なお、プレゼンスユーザの更新が未だ行われていないということを示す「未」のマークが解除されている。【００６７】
また、例えば、図１８、図２０、図２２に示すアドレス帳画面において、画面右下の「メニュー」を選択することにより、アドレス帳メニュー画面（図２５）を表示させることができる。例えば、アドレス帳メニュー画面には、未更新のプレゼンス情報を画面上に表示させずとも全て更新させるよう指示するための「プレゼンスを全て更新」等のメニューを設けることができる。【００６８】
図２６は、本発明の他の実施形態の待ち受け画面を示す。なお、図２６に示される待ち受け画面も、本発明の実施形態の一例であって、本発明はそれらの表示形態に限定されるものではない。【００６９】
図２６は、図１４（すなわち、ステップＳ２０１の処理により表示される待ち受け画面を示す図）と置き換えることができる。待ち受け画面上に表示されているプレゼンスユーザは、足利Ｔ、柴田Ｋ、毛利Ｍ、織田Ｎの４人である。図２６では、各ユーザの画像と名前のみがプレゼンス情報の項目として表示されている。【００７０】
なお、プレゼンス情報には、例えば、ステータス情報（上述のメインステータスやサブステータスに含まれる情報）、写真情報等の複数の項目が含まれている（例えば、写真であってもその枠の色を変えることで、オンライン／オフラインのプレゼンス情報を示すことができる）。これらの複数の項目のうちのどの項目にかかるプレゼンス情報を画面上に表示させるかはユーザにより指定可能である（図２６のみならず図１４の画面においても同様である）。例えば、プレゼンスが更新された場合には、更新されたプレゼンス情報のうち、表示指定されている項目にかかるプレゼンス情報についての更新プレゼンス情報のみが取得される構成であってもよい。具体的には、ユーザがプレゼンス情報の項目のうち、コメントを表示指定せずに写真を表示指定した場合は、例えば、メインステータスのコメントに更新がある旨の更新情報が受信されたとしてもコメントの更新プレゼンス情報は受け取らないようにすることが可能となる。したがって、この構成によれば、プレゼンス情報の更新にかかる送受信データ量がさらに削減され得る。【００７１】
図２７は、プレゼンス情報が更新された直後の待ち受け画面を示す。図２７は、図１６（すなわち、ステップＳ２０４による更新と、ステップＳ２０６による表示処理が行われた後の待ち受け画面を示す図）と置き換えることができる。図２７では、図１６の状態と同様に、足利さんのプレゼンス情報が更新されている。図２７に示す待ち受け画面では、更新されたプレゼンスユーザである足利さんの画像（或いは画像の枠）が点滅する。端末装置１０のユーザは、足利さん画像の点滅を見ることにより、足利さんのプレゼンス情報が更新されたこと（或いは、更新のあるプレゼンス項目があること）を知ることができる。そして、ユーザはアドレス詳細画面等により、その更新されたプレゼンス情報を確認することができる（或いは、アドレス詳細画面等により、そのプレゼンス項目の更新プレゼンス情報を取得するよう指示することができる）。なお、ユーザにプレゼンス情報が更新されたこと等を知らせる方法として画像を点滅させることを例に挙げたが、本発明では、画像の点滅に限らず、例えば、画像の色を変える、画像サイズを変える、テキストを表示する等様々な方法を採用することができる。【００７２】
なお、図１３或いは図１７に示すフローチャートでは、待ち受け画面やアドレス帳画面を表示させることによりプレゼンス情報が更新されるが、本発明では、表示中のプレゼンス情報の更新の形態は、待ち受け画面やアドレス帳画面の場合に限定されるものではない。例えば、着信履歴、メール受信履歴等の表示画面においても、表示中のプレゼンス情報と判断されることも可能である。【００７３】
上述のように本発明は、プレゼンス表示端末装置において他の端末装置のプレゼンスを表示させる場合の、データの大量送受信を防ぐことを可能とする。従来より、サーバ（プレゼンスサーバを含む）からは更新されたことだけを通知し、プレゼンス表示端末装置はその通知に応じて必要であれば情報をＰＵＬＬで取得する技術は存在する。しかし、本発明は、ＰＵＬＬで取得するプレゼンス情報を、画面上に表示中のものに限定することにより、ユーザがＰＵＬＬで取得する指示を行わずともユーザが更新を希望するプレゼンス情報のみを自動的に行えるという点で、送受信データの削減のみならず、ユーザの利便性も向上させることができるプレゼンス表示端末装置を提供することができる。さらに、本発明の実施形態では、更新したプレゼンス情報をプレゼンスサーバが認識する足跡履歴（自分のプレゼンスを誰が閲覧したかを把握できる機能）を生成することも可能である。【００７４】
また、本発明の実施形態において、プレゼンス情報の更新の有無を知らせる情報だけがプレゼンスサーバからプレゼンス表示端末装置に通知される。プレゼンス表示端末装置はその通知に対して、画面に表示中のプレゼンスを認識し、画面に表示中のプレゼンスについての更新情報だけをサーバに要求する。したがって、ユーザが更新を望んでいると思われるプレゼンスのみを更新することで、データの大量送受信によるサーバの負担増や通信環境の圧迫を防ぐことを可能とする。【００７５】
なお、本発明の実施形態の一つの態様において、更新プレゼンス情報取得部は、表示制御部によりプレゼンス対象が表示された場合に、表示されたプレゼンス対象が、更新があると判断されたプレゼンス対象に含まれているかどうかを判断し、含まれていると判断した場合に、表示されたプレゼンス対象の更新プレゼンス情報を取得する。【００７６】
また、本発明の実施形態の一つの態様において、更新プレゼンス情報取得部は、更新情報受信部によって更新情報を受信した場合に、表示制御部により表示されているプレゼンス対象についてプレゼンス情報の更新があるか否かを更新情報に基づいて判断し、更新があると判断されたプレゼンス対象の更新プレゼンス情報を取得する。【００７７】
このような構成により、ユーザが必要としていると考えられるプレゼンス対象に関する更新情報のみが、適切なタイミングで取得される。従って、利便性を損なうことなく、少ない通信量でプレゼンス機能を実現することができる。【００７８】
また、本発明の実施形態の一つの態様において、表示制御部は、登録されたプレゼンス対象のうち、ユーザにより指定されたプレゼンス対象を画面上に表示させる。【００７９】
このような構成により、ユーザがプレゼンスを確認したい相手について、常に新しいプレゼンス情報がユーザに提供される。【００８０】
また、本発明の実施形態の一つの態様において、表示制御部により表示されるプレゼンス対象のプレゼンス情報は複数の項目のプレゼンス情報を含んでおり、プレゼンス表示端末装置は該複数の項目のうちのどの項目を画面上に表示させるかを指定する表示項目指定部を更に備え、更新プレゼンス情報取得部は表示を指定されている項目に関する更新プレゼンス情報のみを取得する。【００８１】
このような構成により、ユーザが必要とするプレゼンス情報のみが更新され、画面に表示される。従って、不要な通信量を削減することができ、なおかつ、必要な情報のみが画面に表示されるために利便性が良い。【００８２】
また、本発明の実施形態の一つの態様において、更新プレゼンス情報取得部は、通信ネットワーク上に備えられたプレゼンス情報を管理するサーバから更新プレゼンス情報を取得する。【００８３】
また、本発明の実施形態の一つの態様において、更新情報は通信ネットワーク上に備えられたプレゼンス情報を管理するサーバから（任意で更新情報送信部によって）通知され、更新情報受信部は通知された更新情報を受信する。【００８４】
このような構成により、更新プレゼンス情報を取得する（又は更新情報を通知する）ために直接相手の端末まで接続する必要が無い。従って、更新プレゼンス情報の取得（又は更新情報の通知）に必要な全体の通信量が削減される。また、相手の端末が通信不能な時にも更新プレゼンス情報の取得（又は更新情報の通知）を行うことができ、利便性が良い。【００８５】
また、本発明の実施形態の一つの態様において、プレゼンス表示端末装置は携帯電話としての機能を有する。【００８６】
任意選択的に、第一の端末装置および第二の端末装置の少なくとも一方は携帯電話としての機能を有する。【００８７】
携帯電話サービスは、その利用の可否がユーザのプレゼンスによって大きく影響される。すなわち、プレゼンス機能の利用によって、サービスの利便性が大幅に向上する。従って、このような構成により、プレゼンス機能を極めて効果的に利用することができる。【００８８】
また、本発明の実施形態の一つの態様において、表示制御部は待ち受け画面上に所定のプレゼンス対象を表示させる。【００８９】
このように、常に表示される待ち受け画面にユーザがプレゼンスを確認したいプレゼンス対象が表示される構成にすると、ユーザは、何ら操作をすることなく、関心のあるプレゼンス対象について最新のプレゼンスを常に確認することができる。従って、利便性良くプレゼンス機能を利用することができる。【００９０】
また、本発明の実施形態の一つの態様において、表示制御部はアドレス帳画面上に対応するユーザの前記所定のプレゼンス対象を表示させる。【００９１】
アドレス帳画面が表示されるときは、ほとんどの場合、ユーザは誰かとコミュニケーションを取ろうとしており、プレゼンス情報の参照が希望される可能性が高い。従って、このような構成により、適切なタイミングでプレゼンス情報が更新されて提供されるため、無駄な通信量を増やすことなく利便性の良いプレゼンス機能が提供される。【００９２】
また、本発明の一部の実施形態によるプレゼンス表示端末装置又はプレゼンス管理システムは、通信相手のアドレス情報を保持するアドレス帳データを更に備え、登録部はアドレス帳データに基づいてプレゼンス対象の登録を行う。任意選択的に、登録部はアドレス帳画面を介してプレゼンス対象登録の為のユーザ操作を受け付ける。【００９３】
アドレス帳データを利用することにより、面倒な入力操作をすることなく、簡単にプレゼンス対象を登録することができる。また、登録に必要な情報がアドレス帳データベースに保持されていれば、通信によって相手端末から情報を取得する必要がなく、短時間に登録を完了することができ、通信量も削減できる。【００９４】
また、本発明の実施形態の一つの態様において、プレゼンス対象の登録情報はアドレス帳データの一部として記録保持される。すなわち、プレゼンス対象登録情報保持部はアドレス帳である【００９５】
このようにプレゼンス対象の登録をアドレス帳で行うことにより、簡素な構成の端末装置及びシステムを実現することができる。  【００９６】
また、本発明の実施形態によるプレゼンス表示端末装置およびプレゼンス管理システムは、上記の構成に限るものではなく、その趣旨を逸脱しない範囲で種々の変形が可能である。【００９７】
例えば、端末装置はプレゼンス対象を登録するための専用のリストを有していなくてもよい。この場合、例えば、アドレス帳データベースの保有するアドレス帳情報の一部としてプレゼンス登録情報を保持する構成が可能である。例えば、アドレス帳データベースの各レコードに対応するユーザがプレゼンス対象となっているか否かを示すフラグを設けることによって、プレゼンス登録情報をアドレス帳データベースに含めることができる。この場合、プレゼンスユーザ登録に必要な他の情報（例えば、ユーザ名、電話番号、又はメールアドレス等）も全てアドレス帳２０２に記憶させることができるため、アドレス帳機能２０２がプレゼンスユーザの登録を直接管理するような構成とすることもできる。【００９８】
また、上記のプレゼンスユーザ登録は、端末装置１０のユーザによって手動で行われるが、例えばアドレス帳機能２０２によって自動的にプレゼンスユーザ登録を行える構成にしてもよい。このような構成にすれば、例えば、アドレス帳に所定のグループ（例えば、「友達」）として登録されるユーザの全員を自動的にプレゼンス対象として登録するように設定することが可能となる。このような構成にすれば、プレゼンスユーザを一人ずつ登録する手間が省けて便利である。【００９９】
また、画面上に表示中のプレゼンス対象の更新とそれ以外のプレゼンス対象の更新の頻度を変えることができる。すなわち、表示中のプレゼンス対象でなくとも、所定のタイミングを設定することにより更新可能となる。また、プレゼンス対象のうち、例えば、画像のみ、コメントのみを取得して更新させることも可能である。また、プレゼンスサーバは登録されたプレゼンス対象全ての更新について更新情報を通知するのではなく、予め表示されているプレゼンス対象（或いは、そのプレゼンス対象のプレゼンス情報の項目）を把握し、それらのプレゼンス対象に限った更新情報または更新プレゼンス情報をＰＵＳＨ配信してもよい。また、プレゼンスサーバからのＰＵＳＨ配信の他、プレゼンス表示端末装置側からプレゼンスサーバに定期的にＰＵＬＬで問い合わせてもよい。【０１００】
また、プレゼンス対象を表示させる方法として、ユーザによる指定のみではなく、オンラインのものだけを表示させる、コミュニケーションの許可レベルに応じて表示順序を変化させる等の構成としてもよい。【０１０１】
また、プレゼンス情報の送受信は、（１）プレゼンスサーバが管理してそれぞれのプレゼンス表示端末装置に送信する場合、（２）プレゼンスサーバはＩＰアドレスの管理だけを行ってプレゼンス情報の送受信はＰ２Ｐ通信で行う場合、等が想定される。【０１０２】
また、図１３のステップＳ２０６において、更新すべきプレゼンスユーザがまだ残っている場合に、未だ更新されていないことを表す表示を行うことにしたが、その表示は必須ではない。また、図１７に示すフローチャートにおいて、待ち受け画面にプレゼンス情報が表示されていることを前提として説明を行ったが、それに限定されるものではなく、待ち受け画面にプレゼンス情報を表示する機能がなく、アドレス帳のみにてプレゼンス情報を表示させる内容であってもよい。また、更新プレゼンス情報取得部２０４ｃは、更新されたプレゼンス情報のうち差分データだけを取得してプレゼンス情報を更新させる構成であってもよい。
【図１】
0005139807.tif 000002
【図２】
0005139807.tif 000003
【図３】
0005139807.tif 000004
【図４】
0005139807.tif 000005
【図５】
0005139807.tif 000006
【図６】
0005139807.tif 000007
【図７】
0005139807.tif 000008
【図８】
0005139807.tif 000009
【図９】
0005139807.tif 000010
【図１０】
0005139807.tif 000011
【図１１】
0005139807.tif 000012
【図１２】
0005139807.tif 000013
【図１３】
0005139807.tif 000014
【図１４】
0005139807.tif 000015
【図１５】
0005139807.tif 000016
【図１６】
0005139807.tif 000017
【図１７】
0005139807.tif 000018
【図１８】
0005139807.tif 000019
【図１９】
0005139807.tif 000020
【図２０】
0005139807.tif 000021
【図２１】
0005139807.tif 000022
【図２２】
0005139807.tif 000023
【図２３】
0005139807.tif 000024
【図２４】
0005139807.tif 000025
【図２５】
0005139807.tif 000026
【図２６】
0005139807.tif 000027
【図２７】
0005139807.tif 000028